(57)【要約】【課題】筐体内に、エンジンと、冷却ファンを具備する発電体とを備えた発電装置において、発電体からの騒音を効率良く低減することを課題とする。【解決手段】前記発電体５における冷却風の吸気口５ｄを消音ダクト５５で覆い、該消音ダクト５５における騒音源側に吸音材５６を貼設する。この構成では、騒音源近傍における必要な箇所だけに消音ダクト５５が設けられるので、消音ダクト５５の製作コストを低く抑えることができ、発電体５からの騒音を効果的に低減することができる。【選択図】　図４
2004011490.tif 000002
【特許請求の範囲】
【請求項１】
筐体内に、エンジンと、冷却ファンを具備する発電体と、を備えた発電装置において、
前記発電体における冷却風の吸気口を消音ダクトで覆ったことを特徴とする発電装置。
【請求項２】
筐体内に、エンジンと、冷却ファンを具備する発電体と、を備えた発電装置において、
前記発電体の防音カバー内の凹部を板材で塞ぎ、該板材の発電体側に吸音材を貼設したことを特徴とする発電装置。
【発明の詳細な説明】
【０００１】
【発明の属する技術分野】
本発明は、パッケージ型発電装置の発電体で発生する騒音の防音構造に関する。
【０００２】
【従来の技術】
発電装置は、工事現場等の現場に運搬され、電力を供給するために発電を行うものである。発電装置は発電体とエンジン等を備え、該エンジンに発電体が接続されて、該エンジンの出力軸により発電体を駆動するように構成している。
発電装置には下部にフレームが配設されており、該下部フレーム上にエンジンや発電体等が配設されている。そして、該下部フレーム上に防音カバーが被装され、防音効果を向上させる構成としている。前記下部フレーム及び防音カバーで、筐体を構成している。
【０００３】
前記防音カバーには外気を取り入れるための開口部が設けられており、該開口部には消音ダクトが取り付けられて、発電体からの騒音は該消音ダクトを介して低減され、筐体外部に極力漏れないように構成されている。
また、前記下部フレームでは水濡れ等への配慮から、鉄板構造が剥き出しのままになっており、発電体下方の下部フレームの下面に吸音材が貼設されて、騒音の低減化が図られている。
【０００４】
【発明が解決しようとする課題】
しかしながら、前記構成では、防音カバーの開口部に比較的大きな消音ダクトを取り付けていることから、筐体内のスペースが狭くなり、また、コスト的にも不利であった。
また、下部フレームの下面に吸音材が貼ると、筐体内に浸入した水や油が沁み込む恐れがあり、その結果、吸音材による効果を低減させてしまうことがあった。
そこで、本発明では、発電体からの騒音を効率良く低減することが課題である。
【０００５】
【課題を解決するための手段】
次にこの課題を解決するための手段を説明する。
まず、請求項１に記載のように、筐体内に、エンジンと、冷却ファンを具備する発電体と、を備えた発電装置において、前記発電体における冷却風の吸気口を消音ダクトで覆う。
【０００６】
また、請求項２に記載のように、筐体内に、エンジンと、冷却ファンを具備する発電体と、を備えた発電装置において、前記発電体の防音カバー内の凹部を板材で塞ぎ、該板材の発電体側に吸音材を貼設する。
【０００７】
【発明の実施の形態】
これより、本発明の実施の一形態を、図面を参照しながら説明する。
図１は発電装置１の斜視図、図２は本発明の第１実施例に係る発電装置１の内部構成を示す側面図、図３は発電体５の下方からの斜視図、図４は消音ダクト５５の斜視図、図５は発電体５の内部への冷却空気の流れを説明する図、図６は吸気ダクト１７（１９）の側面断面図、図７は本発明の第１実施例に係る発電装置１の内部の冷却空気の流れを説明する図、図８は本発明の第２実施例に係る発電装置１の内部構成を示す側面図、図９は本発明の第２実施例に係る発電装置１の内部の冷却空気の流れを説明する図である。
【０００８】
まず、発電装置１の全体構成について説明する。
図１に示すように、発電装置１には下部にフレーム２０が配設されており、該下部フレーム２０上に発電装置１の構成要素が配設されている。そして、該下部フレーム２０上に防音カバー２１が被装され、防音効果を向上させる構成としている。前記下部フレーム２０及び防音カバー２１で、発電装置筐体２を構成している。
【０００９】
発電装置１は短辺側の一側面に開閉扉２３を設け、長辺側の一側面に開閉扉２４・２５を設けている。開閉扉２３内には発電装置１の制御を行う制御盤９を配設しており、開閉扉２４の正面には、それぞれ発電装置１内に外気を導入するための吸気グリル２６が設けられている。さらに、前記発電装置１の長辺側の一側面には吸気グリル２８が設けられ、これらの吸気グリル２６・２８は発電装置１の下部であって、下部フレーム２０より上に設けられている。
【００１０】
図２に示すように、発電装置筐体２内には、エンジン４、発電体（発電機）５、バッテリ６及び燃料タンク７等が配設されている。エンジン４には発電体５が接続されており、エンジン４の出力軸により発電体５を駆動するようにしている。
前記エンジン４は筐体２略中央に配置され、一側に発電体５が配設され、他側に燃料タンク７が配設され、発電体５の上方にはバッテリ６が配設されている。また、発電体５の筐体２側面側には、制御盤９に伝達される熱及び騒音を低減するための隔壁３８が垂直方向に立設され、エンジン４側の部屋２ｂと反エンジン４側の部屋２ａとが画設されている。
【００１１】
エンジン４の燃料タンク７配置側（発電体５と反対側）にはファン４２、ラジエータ４３、排気マフラー４４・４５が配設され、該排気マフラー４４の上方にはガイド３４が配設されている。ガイド３４はファン４２により発生した冷却風を排風口２９側に導くためのものであり、発電装置１内の上角部に配設されている。
【００１２】
発電体５の上方にはエアクリーナ４７が配置されており、エアクリーナ４７の上方には吸気サイレンサ４６が配設されている。吸気サイレンサ４６は筐体２の天井部分の裏面に固設され、該吸気サイレンサ４６には吸気パイプ１４・１５が接続されている。
吸気パイプ１４を介して吸気サイレンサ４６内に導入された空気は、吸気パイプ１５を介してエアクリーナ４７に導入される。そして、エアクリーナ４７に導入された空気が、吸気パイプ１６を介してエンジン４に供給される。
【００１３】
発電装置１において、エンジン４及び発電体５は防振材を介して下部フレーム２０に取り付けられている。下部フレーム２０にはエンジン４及び発電体５を取り付けるための台座が設けられており、この台座に防振材を介してエンジン４及び発電体５が載置することによって、下部フレーム２０に伝達される振動を低減し、発電装置１の防音カバー２１より発生する騒音を抑制している。
【００１４】
前記エンジン４の上方には、上部隔壁３５が配設され、該上部隔壁３５に連続するラジエータ取付部３６にはラジエータ４３が取り付けられており、該ラジエータ４３の下部には遮蔽板３７がラジエータ取付部３６に連設して接続されている。
遮蔽板３７は、筐体２内において略水平に配設され、遮蔽板３７の上方には排気マフラー４４・４５が配設され、下方には燃料タンク７が配設されている。
【００１５】
そして、前記エンジン４とラジエータ４３に介在するファン４２により、エンジン４側よりラジエータ４３に向けて冷却風が発生する。ラジエータ４３を介した冷却風は、遮蔽板３７の上方を通り、排気マフラー４４・４５を介して発電装置１の上部に至る。そして、冷却風はガイド３４により発電装置１の前方に向けられ、上部隔壁３５に沿って排風口２９より筐体２外へ排出される。
【００１６】
上述の如く、上部隔壁３５、ラジエータ取付部３６及び遮蔽板３７、そしてガイド３４により、発電装置１内において、防音カバー２１の内側面を利用した排風経路を構成して、発電装置１をコンパクトにしながら排風経路を長く取ることができるようにして、騒音の低減を図っている。
【００１７】
また、上部隔壁３５、ラジエータ取付部３６及び遮蔽板３７により、発電装置１の筐体２内を仕切り、一方にエンジン４及び発電体５を配設し、他方に排気マフラー４４・４５を配設して、エンジン４及び発電体５を配設した側を冷却風の上流側とすることにより、発電装置１内の冷却効率を向上しながら騒音の低減を図っている。
【００１８】
次に、発電体５から発生する騒音の防音構造について説明する。
図３に示すように、発電体５は、コイル部を冷却するために自ら冷却ファン５０を備えた構造となっており、該発電体５の本体５Ｂは円筒状に成形され、該本体５Ｂのエンジン４側の端部に冷却ファン５０が取り付けられている。発電体本体５Ｂの制御盤９側の端面と、端部下方側の曲面には吸気口５ｃ・５ｃ・・・、５ｄが形成され、冷却ファン５０の外周部の全周に亘って排風開口部５０ｃ・５０ｃ・・・が形成されている。
【００１９】
図２に示すように、発電体本体５Ｂの下方の筐体２の下部フレーム２０には凹部スペース２０ａが形成され、該凹部スペース２０ａを塞ぐようにして、板材５８が筐体２の短辺方向に着脱自在に架設さている。すなわち、該板材５８は、発電体５の防音カバーとしての役割も果たす下部フレーム２０の底面よりも高い位置に配置されて、発電体５側である、板材５８上面に吸音材５９が貼設され、下部フレーム２０内に雨水等が浸入しても、吸音材５９が浸水しないように構成されている。
【００２０】
以上のように下部フレーム２０の凹部スペース２０ａに板材５８を設けて、該板材５８の発電体５側に吸音材５９を貼設したことで、吸音材５９を発電体５に接近させて配置することができ、騒音源である発電体５から球面状に伝播する騒音を効果的に低減することができる。
また、下部フレーム２０は水濡れ等への配慮から、鉄板構造が剥き出しのままになっており、凹部スペース２０ａ内に泥等が浸入した場合は、板材５８を取り外してメンテナンスを行うことができる。
【００２１】
さらに、板材５８上には消音部材たる消音ダクト５５が配設され、発電体本体５Ｂの吸気口５ｄを覆うようにして配置されている。図４に示すように、消音ダクト５５の下部には冷却風の取入口５５ａが形成され、該消音ダクト５５の上部は、本体５Ｂ下部の曲面を受けるように円弧状に凹陥されて、該凹陥された上面に冷却風の吹出口５５ｂが形成されている。
【００２２】
図５に示すように、この消音ダクト５５は、発電体本体５Ｂの吸気口５ｄを塞ぐよう配置されて、該消音ダクト５５の開口部５５ｂと本体５Ｂの吸気口５ｄとを連通させている。そして、騒音源側である、吸気ダクト５５の吹出口５５ｂ周囲には、吸音材５６が貼設されている。
以上のような構成で、発電体５の騒音源近傍の、必要な箇所だけに消音ダクト５５を設けることができ、消音ダクト５５がコンパクトになって、その製作コストを低く抑えることができる上、発電体５からの騒音を効果的に低減することができる。
【００２３】
次に、発電装置１におけるエンジンオイルの冷却構造について２つの実施例を説明する。
まず、第１実施例から説明する。図２に示すように、発電体５の冷却ファン５０の下方に導風体３を設け、該冷却ファン５０からの排風をエンジン４下方のオイルパン４１に当てるように導き、該オイルパン４１内のエンジンオイルを冷却するように構成する。
【００２４】
前記導風体３は、上方とオイルパン４１側とが開口する箱型に形成され、発電体５の下部に固定されて、冷却ファン５０の排風開口部５０ｃから、エンジン４に亘って、下部を覆っている。
なお、導風体３は筐体２の下部フレーム２０に固定してもよく、この場合は、発電体５を下部フレーム２０に組み付けるときに、組み付け作業が容易となる。
【００２５】
発電体５と導風体３との間にはシール材を介しており、該シール材によって冷却ファン５０からの排風が、発電体５側に流れないようにして、効率良くオイルパン４１に当てるようにしている。但し、シール材は必ずしも必要であるわけでなく、シール材を設けないときには、発電体５と導風体３との間は、冷却ファン５０からの排風が間隙から流出しない程度の距離となるように離間する。
【００２６】
このように導風体３を設けることで、発電体５の冷却ファン５０からの排風を冷却風として有効に利用することができて経済的であり、また、エンジンオイルを冷却するための冷却風を、ラジエータ４３を冷却するファン４２だけに頼る構成のものと比較して、筐体２に設けられる冷却風導入用開口部の開口面積を、小さくすることができる。一般には、冷却風導入用開口部の開口面積を小さくすると、筐体２内部でのヒートバランスが悪化する傾向があるが、この第１実施例では、冷却ファン５０からの排風で効率良くオイルパン４１を冷却しているため、筐体２に設けられる冷却風導入用開口部の開口面積を小さくしても、筐体２内部でのヒートバランスが悪くはならない。
【００２７】
このように発電装置１の筐体２に設けられる開口部の開口面積を削減することで、発電体５やエンジン４から発生する騒音の、開口部から外部への放射を抑制することができ、騒音を低減させることができる。
【００２８】
また、冷却風導入用開口部の開口面積を低減させることで、開口部からの騒音漏れを防止するための構造を複雑に構成する必要がなく、部品点数や組立工数を低減することによって製造コストの削減に寄与することができる。
さらに、ラジエータ４３以外に、エンジンオイル冷却用のファンを設ける必要がなく、部品点数が削減されて、コストの削減を図ることができる。
【００２９】
次に、発電装置１の内部における冷却空気の流れについて説明する。
図６に示すように、前記吸気グリル２６・２８が配置された開閉扉２４及び筐体２の内側面には吸気ダクト１７・１９が取り付けられ、該吸気ダクト１７（１９）は、外側下部に吸気口１７ａ（１９ａ）が設けられ、内側上部に吹出口１７ｂ（１９ｂ）が設けられて、該吸気口１７ａ（１９ａ）と吸気グリル２６（２８）とが連通するように配置されている。吸気グリル２６・２８から取り込まれた外気は吸気ダクト１７・１９を介して、上部の吹出口１７ｂ・１９ｂから筐体２内部に取り込まれるように構成されて、吸気グリル２６・２８から発電装置１内部に雨水等が浸入しないようにしている。
なお、この吸気ダクト１７・１９の内周面には、消音材が貼設されており、発電装置１内部の騒音が極力外部に漏れないよう構成されている。
【００３０】
ファン４２・５０が駆動する筐体２内部は外部よりも負圧になっており、このため外気は、吸気グリル２６・２８から吸気ダクト１７・１９を介して、筐体２内部に自然流入する。図７に示すように、筐体２内部に流入した外気は、ファン４２・５０により引き込まれながら、エンジン４や発電体５の方へ導かれていく。吹出口１７ｂから流入した外気は、ファン４２により引き込まれて、エンジン４を外部から冷却し、ラジエータ４３を通過して、該ラジエータ４３内を流れるエンジンオイルと熱交換を行った後、筐体２上部の排風口２９から排出される。また、吹出口１９ｂから流入した外気は、冷却ファン５０により発電体本体５Ｂの吸気口５ｃ・５ｃ・・・、及び消音ダクト５５を介した吸気口５ｄから取り込まれて、発電体５内部のコイル部を冷却した後、導風体３を介してエンジン４のオイルパン４１へと案内され、該オイルパン４１内のエンジンオイルを冷却する。その後、前記ファン４２に引き込まれて、ラジエータ４３を通過し、筐体２上部の排風口２９から排出される。
【００３１】
次に、エンジンオイルの冷却構造についての第２実施例を説明する。
図８に示すように、前記隔壁３８により仕切られた制御盤９側の部屋２ａへは吸気ダクト１９を介して外気が取り入れられ、該部屋２ａにおける吸気ダクト１９側、又は反吸気ダクト１９側の少なくとも一側部から、エンジン４のある部屋２ｂへ連絡ダクト３０を延設する。連絡ダクト３０は発電体５の冷却ファン５０の風排開口部５０ｃ・５０ｃ・・・の側方を通過してエンジン４のオイルパン４１付近まで延出され、該冷却ファン５０の風排開口部５０ｃ・５０ｃ・・・からの排風によって、該連絡ダクト３０内の冷却風の流れが妨げられないように配置されている。該部屋２ａ内に取り込まれた外気の一部は、冷却ファン５０により発電体５内へ取り込まれ、また一部は、ラジエータ４３のファン４２によって連絡ダクト３０を介してエンジン４のオイルパン４１へと導かれる。このような構成で、該部屋２ａ内の空気を、エンジンオイルを冷却するための冷却風として有効に利用することができ、経済的である。
【００３２】
また、この構成では、外部への開口部である吸気口２８をできるだけ騒音源のエンジン４から遠い位置に設けることができて、エンジン４を配置した部屋等に開口する吸気口等をなくすこともでき、該エンジン４から発生する騒音の、外部への放射を抑制することができ、騒音を低減させることができる。
さらに、全体的に外部への開口部の数を減らすことができて、そのために必要な消音ダクト等の数を減らすことができ、また、ラジエータ４３以外に、エンジンオイル冷却用のファンを設ける必要がなく、この結果、部品点数が削減されて、コストの削減を図ることができる。
【００３３】
次に、発電装置１の内部における冷却空気の流れについて説明する。
図９に示すように、筐体２内部に流入した外気は、ファン４２・５０により引き込まれながら、エンジン４や発電体５の方へ導かれていく。吹出口１７ｂから流入した外気は、ファン４２により引き込まれて、エンジン４を外部から冷却し、ラジエータ４３を通過して、該ラジエータ４３内を流れるエンジンオイルと熱交換を行った後、筐体２上部の排風口２９から排出される。また、吹出口１９ｂから流入した外気の一部は、冷却ファン５０により発電体本体５Ｂの吸気口５ｃ・５ｃ・・・、及び消音ダクト５５を介した吸気口５ｄから取り込まれて、発電体５内部のコイル部を冷却し、また一部は、ラジエータ４３のファン４２により連絡ダクト３０を介してエンジン４のオイルパン４１へと導かれて、該オイルパン４１内のエンジンオイルを冷却する。その後、前記ファン４２に引き込まれて、ラジエータ４３を通過し、筐体２上部の排風口２９から排出される。
【００３４】
【発明の効果】
本発明は、以上のように構成したので、以下に示すような効果を奏する。
まず、請求項１のように、筐体内に、エンジンと、冷却ファンを具備する発電体と、を備えた発電装置において、前記発電体における冷却風の吸気口を消音ダクトで覆ったことで、発電体からの騒音を効果的に低減することができる。この構成では、騒音源近傍における必要な箇所だけに消音ダクトが設けられ、消音ダクトがコンパクトになって、その製作コストを低く抑えることができる。
【００３５】
また、請求項２のように、筐体内に、エンジンと、冷却ファンを具備する発電体と、を備えた発電装置において、前記発電体の防音カバー内の凹部を板材で塞ぎ、該板材の発電体側に吸音材を貼設したことで、吸音材を発電体に接近させて配置することができ、騒音源である発電体から球面状に伝播する騒音を効果的に低減することができる。
【図面の簡単な説明】
【図１】発電装置１の斜視図。
【図２】本発明の第１実施例に係る発電装置１の内部構成を示す側面図。
【図３】発電体５の下方からの斜視図。
【図４】消音ダクト５５の斜視図。
【図５】発電体５の内部への冷却空気の流れを説明する図。
【図６】吸気ダクト１７（１９）の側面断面図。
【図７】本発明の第１実施例に係る発電装置１の内部の冷却空気の流れを説明する図。
【図８】本発明の第２実施例に係る発電装置１の内部構成を示す側面図。
【図９】本発明の第２実施例に係る発電装置１の内部の冷却空気の流れを説明する図。
【符号の説明】
１　　発電装置
２　　筐体
３　　導風体
４　　エンジン
５　　発電体
５ｄ　吸気口
２０　　下部フレーム
２１　　防音カバー
５５　　消音ダクト
５５ｂ　吹出口
５６　　吸音材
【図１】
2004011490.tif 000003
【図２】
2004011490.tif 000004
【図３】
2004011490.tif 000005
【図４】
2004011490.tif 000006
【図５】
2004011490.tif 000007
【図６】
2004011490.tif 000008
【図７】
2004011490.tif 000009
【図８】
2004011490.tif 000010
【図９】
2004011490.tif 000011